(57)【要約】【課題】ローカルディミング制御において、部品点数の増加を抑制しながら、輝度制御の緻密性を向上させることが可能な液晶表示装置および光源装置を提供する。【解決手段】この液晶表示装置１００は、表示セル１と、表示セル１の表示面１ａとは反対側の面１ｂに光を出射する複数のＬＥＤ光源４と、ＬＥＤ光源４とは異なるレーザ光源５ａと、レーザ光源５ａから出射された光を表示面１ａとは反対側の面１ｂに走査する走査ミラー部５ｂと、を備える。【選択図】図２
2018194786.tif 000002
【特許請求の範囲】
【請求項１】
表示部と、
前記表示部の表示面とは反対側の面に光を出射する複数の第１光源と、
前記第１光源とは異なる第２光源と、
前記第２光源から出射された光を前記表示面とは反対側の面に走査する走査部と、を備える、液晶表示装置。
【請求項２】
前記第２光源は、前記第１光源により光が照射されている領域のうちの所定の領域において、前記第１光源から出射された光に光を重畳するように走査される、請求項１に記載の液晶表示装置。
【請求項３】
前記第２光源から出射される光の光量を変化させながら、前記第２光源から出射される光を前記第１光源から出射される光に重畳させるように構成されている、請求項２に記載の液晶表示装置。
【請求項４】
前記第２光源と前記走査部とを含む走査型光源部は、複数設けられている、請求項１〜３のいずれか１項に記載の液晶表示装置。
【請求項５】
前記表示部は、略長方形形状を有し、
前記表示部に対して垂直な方向から見て、前記複数の走査型光源部の各々は、略長方形形状の前記表示部の対向する一対の辺の近傍にそれぞれ設けられている、請求項４に記載の液晶表示装置。
【請求項６】
前記複数の走査型光源部は、共通の基台上に配置されている、請求項４または５に記載の液晶表示装置。
【請求項７】
前記表示面に対して垂直な方向から見て、前記表示面の外周に沿って設けられ、前記第２光源から出射された光を前記表示面とは反対側の面に向けて反射させる反射部をさらに備える、請求項１〜６のいずれか１項に記載の液晶表示装置。
【請求項８】
前記第１光源から放射された光を前記表示部側に反射させる反射シートをさらに備え、
前記反射部は、前記反射シートの外周縁近傍が前記表示部側に折り曲げることにより形成されている、請求項７に記載の液晶表示装置。
【請求項９】
前記表示部と前記第１光源との間に設けられ、前記第２光源から出射された光を前記表示部側に向ける導光部材をさらに備える、請求項１〜８のいずれか１項に記載の液晶表示装置。
【請求項１０】
前記第１光源は前記表示部に対向するように配置される直下型のＬＥＤ光源を含み、前記第２光源はレーザ光源を含む、請求項１〜９のいずれか１項に記載の液晶表示装置。
【請求項１１】
複数の第１光源と、
前記第１光源とは異なる第２光源と、
前記第２光源から出射された光を走査する走査部と、を備える、光源装置。
【発明の詳細な説明】
【技術分野】
【０００１】
この発明は、液晶表示装置および光源装置に関し、特に、複数の光源を備える液晶表示装置および光源装置に関する。
【背景技術】
【０００２】
従来、複数の光源を備える液晶表示装置および光源装置が知られている（たとえば、特許文献１参照）。
【０００３】
上記特許文献１には、ローカルディミング制御可能な光源装置が開示されている。なお、ローカルディミング制御とは、複数設けられた光源の発光輝度を個別に制御することによって、液晶表示装置のバックライトの明るさを部分的に変更し、表示画面のコントラストを高める技術である。上記特許文献１の光源装置は、個別に発光輝度を変更可能な複数の分割領域（発光ブロック）を有し、１つ以上の分割領域を１つの発光単位として、発光単位毎に、光源を所定の発光輝度で発光可能に構成されている。
【０００４】
また、１つの点灯単位（発光単位）には、液晶表示パネルの緑色カラーフィルタから透過される緑色の成分の純度を高めるために緑色のレーザダイオード（ＬＤ）光源が設けられている。また、１つの点灯単位には、レーザダイオード光源よりも指向性が広い青色および赤色のＬＥＤ光源がさらに設けられている。そして、レーザダイオード光源から発光された光を拡散構造部により拡散させ、レーザダイオード光源の指向性とＬＥＤ光源の指向性とを近づけることにより、レーザダイオード光源から発光された光の輝度分布の中心の位置と、ＬＥＤ光源から出射された光の輝度分布の中心の位置とを一致させている。これにより、ローカルディミング制御時においてバックライトの色度分布を均一化させている。
【先行技術文献】
【特許文献】
【０００５】
【特許文献１】特開２０１６−３５９０８号公報
【発明の概要】
【発明が解決しようとする課題】
【０００６】
ここで、上記特許文献１に記載されるような従来のローカルディミング制御可能な光源装置において、ローカルディミング制御における輝度制御の緻密性を向上させるためには、ローカルディミング制御における分割領域をさらに細分化することが必要である。また、各々の分割領域において所定の数の光源を配置する必要があるため、ローカルディミング制御における分割領域をさらに細分化する場合には、光源の個数を増加させる必要がある。すなわち、上記特許文献１に記載されている光源装置において、ローカルディミング制御における分割領域をさらに細分化するためには、赤色ＬＥＤ、青色ＬＥＤ、および、緑色レーザダイオードのそれぞれの個数を増加させる必要がある。このため、ローカルディミング制御において、分割領域をさらに細分化して、輝度制御の緻密性を向上させるために、部品点数が増加するという問題点がある。
【０００７】
この発明は、上記のような課題を解決するためになされたものであり、この発明の１つの目的は、ローカルディミング制御において、部品点数の増加を抑制しながら、輝度制御の緻密性を向上させることが可能な液晶表示装置および光源装置を提供することである。
【課題を解決するための手段】
【０００８】
この発明の第１の局面による液晶表示装置は、表示部と、表示部の表示面とは反対側の面に光を出射する複数の第１光源と、第１光源とは異なる第２光源と、第２光源から出射された光を表示面とは反対側の面に走査する走査部と、を備える。
【０００９】
この発明の第１の局面による液晶表示装置は、上記のように、第２光源から出射された光を表示面とは反対側の面において走査する走査部を備えることによって、第２光源から出射される光を走査することにより、表示面とは反対側の面の所定の領域に光を照射することができる。その結果、第１光源の数を増加させることなく、第２光源から出射される光により表示部内の所定の領域を局所的に照射することができる。すなわち、第１光源の数を増加させることなく、輝度制御が可能な領域を細分化することができる。これにより、部品点数の増加を抑制しながら、輝度制御の緻密性を向上させることができる。
【００１０】
上記第１の局面による液晶表示装置において、好ましくは、第２光源は、第１光源により光が照射されている領域のうちの所定の領域において、第１光源から出射された光に光を重畳するように走査される。このように構成すれば、第２光源から照射される光により、第１光源によって照射されている領域内の所定の領域において光を重畳させることができるので、第１光源によって照射されている領域内において輝度を局所的に大きくすることができる。
【００１１】
この場合、好ましくは、第２光源から出射される光の光量を変化させながら、第２光源から出射される光を第１光源から出射される光に重畳させるように構成されている。このように構成すれば、所定の領域を走査している際に第２光源の光量を変化させてローカルディミング制御を行いながら、所定の領域の輝度を容易に大きくすることができる。
【００１２】
上記第１の局面による液晶表示装置において、好ましくは、第２光源と走査部とを含む走査型光源部は、複数設けられている。このように構成すれば、単一の走査型光源部により走査する場合に比べて、表示面とは反対側の面の全面をすみやかに走査することができる。
【００１３】
この場合、好ましくは、表示部は、略長方形形状を有し、表示部に対して垂直な方向から見て、複数の走査型光源部の各々は、略長方形形状の表示部の対向する一対の辺の近傍にそれぞれ設けられている。このように構成すれば、複数の走査型光源部の各々が表示部の対向する一対の辺の近傍にそれぞれ設けられていることによって、互いに対向する方向から走査型光源部の光を走査することができる。その結果、一対の辺の一方に設けられている走査型光源部により、表示部の中心に対して一対の辺の他方側（または一方側）の表示部内を走査させ、一対の辺の他方に設けられている走査型光源部により、表示部の中心に対して一対の辺の一方側（または他方側）の表示部内を走査させることができる。これにより、複数の走査型光源部の各々が走査する領域の大きさを略同じにすることができるので、複数の走査型光源部のいずれかに過度な負担がかかるのを抑制することができる。なお、「一対の辺の近傍」とは、一対の辺の位置そのものと、一対の辺の位置の付近との両方を含む意味である。
【００１４】
上記走査型光源部が複数設けられている液晶表示装置において、好ましくは、複数の走査型光源部は、共通の基台上に配置されている。このように構成すれば、複数の走査型光源部が配置された基台を取り付けることによって、２つの走査型光源部を同時に取り付けることができるので、走査型光源部の取り付けにおける作業効率を向上させることができる。また、２つの走査型光源部を個別に取り付ける場合に比べて、２つの走査型光源部の間において取り付け位置のずれが生じるのを抑制することができる。
【００１５】
上記第１の局面による液晶表示装置において、好ましくは、表示面に対して垂直な方向から見て、表示面の外周に沿って設けられ、第２光源から出射された光を表示面とは反対側の面に向けて反射させる反射部をさらに備える。このように構成すれば、第２光源から出射された光が、表示面の外周に沿って設けられる反射部によって反射されることにより、表示面の外周側への光の漏れを抑制しながら、表示面とは反対側の面に光を照射することができる。
【００１６】
この場合、好ましくは、第１光源から放射された光を表示部側に反射させる反射シートをさらに備え、反射部は、反射シートの外周縁近傍が表示部側に折り曲げられることにより形成されている。このように構成すれば、元々備えられている反射シートを用いて反射部を形成することができるので、部品点数の増加を抑制することができる。なお、「外周縁近傍」とは、外周縁の位置の付近を意味する。
【００１７】
上記第１の局面による液晶表示装置において、好ましくは、表示部と第１光源との間に設けられ、第２光源から出射された光を表示部側に向ける導光部材をさらに備える。このように構成すれば、導光部材により、第２光源から出射された光を、第２光源から比較的離間した領域に容易に照射することができる。
【００１８】
上記第１の局面による液晶表示装置において、好ましくは、第１光源は表示部に対向するように配置される直下型のＬＥＤ光源を含み、第２光源はレーザ光源を含む。ここで、レーザ光源から出射される光は、ＬＥＤ光源から出射される光に比べて、比較的指向性が高い。したがって、レーザ光源を含む第２光源により走査することによって、輝度制御の緻密性を容易に大きくすることができる。
【００１９】
この発明の第２の局面による光源装置において、好ましくは、複数の第１光源と、第１光源とは異なる第２光源と、第２光源から出射された光を走査する走査部と、を備える。
【００２０】
この発明の第２の局面による光源装置では、上記のように、第２光源から出射された光を走査する走査部を備えることによって、第２光源から出射される光を所定の領域において走査することができる。その結果、第１光源の数を増加させることなく、第２光源から出射される光により所定の領域を局所的に照射することができる。これにより、部品点数の増加を抑制しながら、輝度制御の緻密性を向上させることができる。
【発明の効果】
【００２１】
本発明によれば、上記のように、ローカルディミング制御において、部品点数の増加を抑制しながら、輝度制御の緻密性を向上させることができる。
【図面の簡単な説明】
【００２２】
【図１】第１〜第３実施形態による液晶表示装置の全体構成を示した斜視図である。
【図２】第１実施形態による液晶表示装置の光源装置および表示部の斜視図（概略図）である。
【図３】図１の７００−７００線に沿った断面図（概略図）である。
【図４】第１〜第３実施形態による液晶表示装置の第１光源の平面図（概略図）である。
【図５】第１実施形態による液晶表示装置の光源装置および表示部の平面図（概略図）である。
【図６】比較例による液晶表示装置の光の照射領域を説明するための図である。
【図７】第１実施形態による液晶表示装置の光の照射領域を説明するための図である。
【図８】第２実施形態による液晶表示装置の光源装置および表示部の斜視図（概略図）である。
【図９】第３実施形態による液晶表示装置の光源装置および表示部の斜視図（概略図）である。
【図１０】第１実施形態の第１変形例による液晶表示装置の光源装置および表示部の平面図（概略図）である。
【図１１】第１実施形態の第２変形例による液晶表示装置の光源装置および表示部の平面図（概略図）である。
【図１２】第１実施形態の第３変形例による液晶表示装置の光源装置および表示部の平面図（概略図）である。
【図１３】第３実施形態の変形例による液晶表示装置の光源装置および表示部の斜視図（概略図）である。
【発明を実施するための形態】
【００２３】
以下、本発明を具体化した実施形態を図面に基づいて説明する。
【００２４】
［第１実施形態］
まず、図１〜図７を参照して、第１実施形態による液晶表示装置１００および光源装置２００の構成について説明する。なお、図２〜図７は概略図であって、簡略化のため、説明に不要な部材は図示を省略している。
【００２５】
（液晶表示装置の構成）
図１に示すように、液晶表示装置１００は、表示面１ａを含む表示セル１を備える。表示セル１は、略長方形形状を有している。また、液晶表示装置１００には、表示セル１を収容するフロントキャビネット（前側筐体）２およびリアキャビネット（後側筐体）３とが設けられている。なお、表示セル１は、特許請求の範囲の「表示部」の一例である。
【００２６】
図２に示すように、液晶表示装置１００（光源装置２００）は、複数のＬＥＤ光源４と、レーザ光源５ａと、を備える。また、液晶表示装置１００は、ＬＥＤ光源４から放射された光を表示セル１側（Ｙ１方向側）に反射させる反射シート６を備える。なお、表示セル１と反射シート６との間には、各種光学シートが設けられているが、簡略化のため、図示を省略する。なお、ＬＥＤ光源４およびレーザ光源５ａは、それぞれ、特許請求の範囲の「第１光源」および「第２光源」の一例である。
【００２７】
ここで、第１実施形態では、複数のＬＥＤ光源４の各々は、表示セル１に対向するように配置される直下型の光源である。すなわち、複数のＬＥＤ光源４は、表示セル１の表示面１ａとは反対側の面１ｂに光を出射する。
【００２８】
具体的には、ＬＥＤ光源４は、マトリクス状（図４参照）に配置されている。なお、複数のＬＥＤ光源４の各々は、反射シート６上に配置されている。なお、反射シート６に複数の孔を設けるとともに、上記複数の孔を介して反射シート６から複数のＬＥＤ光源４のそれぞれを表示セル１側（Ｙ１方向側）に露出するように構成されていてもよい。
【００２９】
液晶表示装置１００は、複数のＬＥＤ光源４の各々を独立して制御することにより、ローカルディミング制御が可能に構成されている。
【００３０】
ここで、第１実施形態では、図２に示すように、液晶表示装置１００（光源装置２００）は、レーザ光源５ａから出射された光を面１ｂにおいて走査する走査ミラー部５ｂ（たとえば、ＭＥＭＳ（Ｍｉｃｒｏ  Ｅｌｅｃｔｒｏ  Ｍｅｃｈａｎｉｃａｌ  Ｓｙｓｔｅｍ）ミラー、ポリゴンミラー、または、ガルバノミラーなど）を備える。具体的には、１つのレーザ光源５ａと、１つの走査ミラー部５ｂとは一対に構成されている。すなわち、液晶表示装置１００には、一対のレーザ光源５ａおよび走査ミラー部５ｂを含む、走査型レーザ光源ユニット５が設けられている。なお、走査型レーザ光源ユニット５には、レーザ光源５ａおよび走査ミラー部５ｂに加えて、図示しない光学系が設けられている。なお、走査ミラー部５ｂおよび走査型レーザ光源ユニット５は、それぞれ、特許請求の範囲の「走査部」および「走査型光源部」の一例である。
【００３１】
また、第１実施形態では、走査型レーザ光源ユニット５は、複数（第１実施形態では、２つ）設けられている。具体的には、Ｙ方向において、複数の走査型レーザ光源ユニット５の各々は、略等しい高さ位置に設けられている。
【００３２】
また、第１実施形態では、図３に示すように、レーザ光源５ａは、ＬＥＤ光源４により光が照射されている領域のうちの所定の領域において、ＬＥＤ光源４から出射された光に光を重畳するように走査される。具体的には、レーザ光源５ａは、走査ミラー部５ｂにより、表示セル１の全範囲を走査される。すなわち、２つのレーザ光源５ａの各々は、表示セル１の全範囲の半分ずつ（図５参照）を走査される。なお、図３では、ＬＥＤ光源４に対して、レーザ光源５ａがＹ１方向側に配置され、走査ミラー部５ｂがＹ２方向側に配置されているが、配置位置はこれに限られない。
【００３３】
また、第１実施形態では、ＬＥＤ光源４から出射される光の光量を変化させずに、レーザ光源５ａから出射される光の光量を変化させながら、レーザ光源５ａから出射される光をＬＥＤ光源４から出射される光に重畳させるように構成されている。具体的には、レーザ光源５ａを走査中に、レーザ光源５ａから出射される光が所定の領域に照射されているタイミングでレーザ光源５ａの光量が増加される。また、レーザ光源５ａから出射される光が上記の所定の領域以外に照射されているタイミングでは、レーザ光源５ａから出射される光の光量は低減（またはゼロに）される。なお、上記の所定の領域は、レーザ光源５ａの制御部（図示せず）によって選択される。たとえば、制御部により、複数のＬＥＤ光源４のうち光量が比較的大きいＬＥＤ光源４に対応する領域が選択されてもよい。また、制御部により選択される領域が１つでも複数であってもよい。
【００３４】
また、第１実施形態では、図５に示すように、表示セル１に対して垂直な方向（Ｙ方向）から見て、２つの走査型レーザ光源ユニット５の各々は、略長方形形状の表示セル１の対向する一対の辺の近傍にそれぞれ設けられている。具体的には、表示セル１に対して垂直な方向（Ｙ方向）から見て、２つの走査型レーザ光源ユニット５の各々は、表示セル１の外側に配置されている。詳細には、Ｙ方向から見て、レーザ光源５ａ（図２参照）および走査ミラー部５ｂ（図２参照）の各々は、表示セル１とオーバーラップしないように配置されている。なお、走査ミラー部５ｂは、対となるレーザ光源５ａに対して、表示セル１側に配置（図３参照）されている。
【００３５】
また、第１実施形態では、表示セル１に対して垂直な方向（Ｙ方向）から見て、２つの走査型レーザ光源ユニット５は、それぞれ、表示セル１の一対の長辺のうちの一方の長辺１ｃの近傍、および、一対の長辺のうちの他方の長辺１ｄの近傍に配置されている。具体的には、２つの走査型レーザ光源ユニット５は、それぞれ、長辺１ｃの略中央、および、長辺１ｄの略中央に配置されている。また、長辺１ｃの近傍の走査型レーザ光源ユニット５から出射される光は、表示セル１の下側（Ｚ２方向側）の領域を走査され、長辺１ｄの近傍の走査型レーザ光源ユニット５から出射される光は、表示セル１の上側（Ｚ１方向側）の領域を走査される。なお、長辺１ｃの近傍の走査型レーザ光源ユニット５から出射される光が、表示セル１の上側（Ｚ１方向側）の領域を走査され、長辺１ｄの近傍の走査型レーザ光源ユニット５から出射される光が、表示セル１の下側（Ｚ２方向側）の領域を走査されていてもよい。
【００３６】
また、第１実施形態では、２つの走査型レーザ光源ユニット５は、共通の基台７上に配置されている。具体的には、長辺１ｃの近傍の走査型レーザ光源ユニット５のレーザ光源５ａと走査ミラー部５ｂ、および、長辺１ｄの近傍の走査型レーザ光源ユニット５のレーザ光源５ａと走査ミラー部５ｂの各々が、共通の基台７に配置されている。
【００３７】
また、第１実施形態では、基台７は、金属製である。たとえば、基台７は、アルミニウムまたは鉄などにより成形されている。
【００３８】
（比較例）
（走査型レーザ光源ユニットなし）
図６（ａ）に示すように、従来のように走査型レーザ光源ユニット５（図３参照）が設けられていない液晶表示装置（光源装置）においては、ＬＥＤ光源４のみにより表示セル１に光が照射されている。この場合、図６（ｂ）に示すように、複数（図６（ａ）では３つ）のＬＥＤ光源４によって、表示セル１内の複数の分割領域Ｂのうち、たとえば３個×４個の分割領域Ｂの範囲（斜線部の範囲）において、他の領域に対して輝度が大きくなるように制御可能である。
【００３９】
（走査型レーザ光源ユニットあり）
また、図７（ａ）に示すように、走査型レーザ光源ユニット５が設けられている液晶表示装置１００（光源装置２００）においては、ＬＥＤ光源４およびレーザ光源５ａの各々により表示セル１に光が照射されている。この場合、図７（ｂ）に示すように、複数（図６（ａ）では３つ）のＬＥＤ光源４から出射される光にレーザ光源５ａから出射される光が重畳されることによって、表示セル１内の複数の分割領域Ｂのうち、たとえば１個×２個の分割領域Ｂの範囲（斜線部の範囲）において、他の領域に対して輝度を大きくするように制御可能である。なお、上記の輝度を大きくすることが可能な領域の範囲は一例であってこれに限られない。すなわち、走査型レーザ光源ユニット５（レーザ光源５ａ）を設けることによって、輝度制御を緻密化することが可能である。
【００４０】
（第１実施形態の効果）
第１実施形態では、以下のような効果を得ることができる。
【００４１】
第１実施形態では、上記のように、表示セル１と、表示セル１の表示面１ａとは反対側の面１ｂに光を出射する複数のＬＥＤ光源４と、ＬＥＤ光源４とは異なるレーザ光源５ａと、レーザ光源５ａから出射された光を表示面１ａとは反対側の面１ｂに走査する走査ミラー部５ｂと、を備えるように、液晶表示装置１００を構成する。これにより、レーザ光源５ａから出射される光を走査することにより、表示面１ａとは反対側の面１ｂの所定の領域に光を照射することができる。その結果、ＬＥＤ光源４の数を増加させることなく、レーザ光源５ａから出射される光により表示セル１内の所定の領域を局所的に照射することができる。すなわち、ＬＥＤ光源４の数を増加させることなく、輝度制御が可能な領域をさらに細分化することができる。これにより、部品点数の増加を抑制しながら、輝度制御の緻密性を向上させることができる。
【００４２】
また、第１実施形態では、上記のように、レーザ光源５ａが、ＬＥＤ光源４により光が照射されている領域のうちの所定の領域において、ＬＥＤ光源４から出射された光に光を重畳するように走査されるように、液晶表示装置１００を構成する。これにより、レーザ光源５ａから照射される光により、ＬＥＤ光源４によって照射されている領域内の所定の領域において光を重畳させることができるので、ＬＥＤ光源４によって照射されている領域内において輝度を局所的に大きくすることができる。
【００４３】
また、第１実施形態では、上記のように、レーザ光源５ａから出射される光の光量を変化させながら、レーザ光源５ａから出射される光をＬＥＤ光源４から出射される光に重畳させるように、液晶表示装置１００を構成する。これにより、所定の領域を走査している際にレーザ光源５ａの光量を変化させてローカルディミング制御を行いながら、所定の領域の輝度を容易に大きくすることができる。
【００４４】
また、第１実施形態では、上記のように、レーザ光源５ａと走査ミラー部５ｂとを含む走査型レーザ光源ユニット５が、複数設けられるように、液晶表示装置１００を構成する。これにより、単一の走査型レーザ光源ユニット５により走査する場合に比べて、表示面１ａとは反対側の面１ｂの全面をすみやかに走査することができる。
【００４５】
また、第１実施形態では、上記のように、表示セル１に対して垂直な方向から見て、複数の走査型レーザ光源ユニット５の各々が、略長方形形状の表示セル１の対向する一対の辺の近傍にそれぞれ設けられるように、液晶表示装置１００を構成する。これにより、複数の走査型レーザ光源ユニット５の各々が表示セル１の対向する一対の辺の近傍にそれぞれ設けられていることによって、互いに対向する方向から走査型レーザ光源ユニット５の光を走査することができる。その結果、一対の辺の一方に設けられている走査型レーザ光源ユニット５により、表示セル１の中心に対して一対の辺の他方側（または一方側）の表示セル１内を走査させ、一対の辺の他方に設けられている走査型レーザ光源ユニット５により、表示セル１の中心に対して一対の辺の一方側（または他方側）の表示セル１内を走査させることができる。これにより、複数の走査型レーザ光源ユニット５の各々が走査する領域の大きさを略同じにすることができるので、複数の走査型レーザ光源ユニット５のいずれかに過度な負担がかかるのを抑制することができる。
【００４６】
また、第１実施形態では、上記のように、表示セル１に対して垂直な方向から見て、複数の走査型レーザ光源ユニット５の各々が、表示セル１の一対の辺の近傍で、かつ、表示セル１の外側に配置されるように、液晶表示装置１００を構成する。これにより、複数の走査型レーザ光源ユニット５によりＬＥＤ光源４からの光が遮られるのをさらに抑制することができる。
【００４７】
また、第１実施形態では、上記のように、走査型レーザ光源ユニット５が、２つ設けられており、表示セル１に対して垂直な方向から見て、２つの走査型レーザ光源ユニット５が、それぞれ、表示セル１の一対の長辺のうちの一方の長辺１ｃの近傍、および、一対の長辺のうちの他方の長辺１ｄの近傍に配置されるように、液晶表示装置１００を構成する。これにより、２つの走査型レーザ光源ユニット５が、それぞれ、表示セル１の一対の長辺のうちの一方の長辺１ｃの近傍、および、一対の長辺のうちの他方の長辺１ｄの近傍に配置されていることによって、表示セル１の長辺が延びる方向において、液晶表示装置１００の装置外形が大きくなるのを抑制することができる。
【００４８】
また、第１実施形態では、上記のように、２つの走査型レーザ光源ユニット５が、それぞれ、一対の長辺のうちの一方の長辺１ｃの略中央、および、一対の長辺のうちの他方の長辺１ｄの略中央に配置されるように、液晶表示装置１００を構成する。これにより、２つの走査型レーザ光源ユニット５の一方側および他方側に対する走査ミラー部５ｂの走査角度が略等しく（略対称）になるので、走査ミラー部５ｂの制御を容易に行うことができる。
【００４９】
また、第１実施形態では、上記のように、２つの走査型レーザ光源ユニット５が、共通の基台７上に配置されるように、液晶表示装置１００を構成する。これにより、２つの走査型レーザ光源ユニット５が配置された基台７を取り付けることによって、２つの走査型レーザ光源ユニット５を同時に取り付けることができるので、走査型レーザ光源ユニット５の取り付けにおける作業効率を向上させることができる。また、２つの走査型レーザ光源ユニット５を個別に取り付ける場合に比べて、２つの走査型レーザ光源ユニット５の間において取り付け位置のずれが生じるのを抑制することができる。
【００５０】
また、第１実施形態では、上記のように、基台７が、金属製の基台を含むように、液晶表示装置１００を構成する。これにより、走査型レーザ光源ユニット５の放熱を容易に行うことができる。
【００５１】
また、第１実施形態では、上記のように、直下型の光源としてＬＥＤ光源４を用いるとともに、走査される光源としてレーザ光源５ａを用いるように、液晶表示装置１００を構成する。ここで、レーザ光源から出射される光は、ＬＥＤ光源から出射される光に比べて、比較的指向性が高い。したがって、レーザ光源５ａにより走査することによって、輝度制御の緻密性を容易に大きくすることができる。
【００５２】
また、第１実施形態では、上記のように、複数のＬＥＤ光源４と、ＬＥＤ光源４とは異なるレーザ光源５ａと、レーザ光源５ａから出射された光を走査する走査ミラー部５ｂと、を備えるように、光源装置２００を構成する。これにより、レーザ光源５ａから出射される光を所定の領域において走査することができる。その結果、ＬＥＤ光源４の数を増加させることなく、レーザ光源５ａから出射される光により所定の領域を局所的に照射することができる。これにより、部品点数の増加を抑制しながら、輝度制御の緻密性を向上させることができる。
【００５３】
［第２実施形態］
次に、図８を参照して、第２実施形態による液晶表示装置３００および光源装置４００の構成について説明する。この第２実施形態における液晶表示装置３００では、走査型レーザ光源ユニット５から出射された光が直接表示セル１を照射する第１実施形態とは異なり、走査型レーザ光源ユニット１５から出射された光は、反射部８に反射されてから表示セル１に照射されている。なお、図８は概略図であって、簡略化のため、説明に不要な部材は図示を省略している。
【００５４】
（液晶表示装置の構成）
図８に示すように、液晶表示装置３００（光源装置４００）は、２つの走査型レーザ光源ユニット１５を備える。また、液晶表示装置３００は、ＬＥＤ光源４から放射された光を表示セル１側（Ｙ１方向側）に反射させる反射シート１６を備える。なお、走査型レーザ光源ユニット１５は、第１実施形態の走査型レーザ光源ユニット５と同様の構成であり、走査型レーザ光源ユニット５と同様の位置に配置されている。なお、走査型レーザ光源ユニット１５は、特許請求の範囲の「走査型光源部」の一例である。
【００５５】
ここで、第２実施形態では、液晶表示装置３００は、表示セル１に対して垂直な方向（Ｙ方向）から見て、表示セル１の外周に沿って設けられる反射部８を備える。反射部８は、走査型レーザ光源ユニット１５に含まれるレーザ光源５ａから出射された光を表示面１ａとは反対側の面１ｂに向けて反射させる。具体的には、反射部８は複数（第２実施形態では２つ）設けられている。また、表示セル１に対して垂直な方向（Ｙ方向）から見て、２つの反射部８は、それぞれ、略長方形形状の表示セル１の対向する一対の短辺１ｅおよび短辺１ｆに沿うように設けられている。
【００５６】
また、第２実施形態では、反射部８は、反射シート１６の外周縁近傍が表示セル１側（Ｙ１方向側）に折り曲げられることにより形成されている。すなわち、反射シート１６と反射部８とは、同一の部材により一体的に形成されている。また、表示セル１に対して垂直な方向（Ｙ方向）から見て、２つの反射部８は、それぞれ、短辺１ｅおよび短辺１ｆの近傍に配置されている。
【００５７】
具体的には、２つの反射部８の各々は、表示セル１が延びる平面（ＸＺ平面）に対して、交差する方向に折り曲げられている。たとえば、Ｚ方向から見て、表示セル１と反射部８とのなす角度は約９０度である。なお、表示セル１と反射部８とのなす角度は９０度以外の角度であってもよい。また、反射部８自体が、折れ曲がり形状または湾曲形状を有していてもよい。
【００５８】
第２実施形態のその他の構成は、上記第１実施形態と同様である。
【００５９】
（第２実施形態の効果）
第２実施形態では、以下のような効果を得ることができる。
【００６０】
第２実施形態では、上記のように、表示セル１の外周に沿って設けられ、レーザ光源５ａから出射された光を表示面１ａとは反対側の面１ｂに向けて反射させる反射部８を備えるように、液晶表示装置３００を構成する。これにより、レーザ光源５ａから出射された光が、表示セル１の外周に沿って設けられる反射部８によって反射されることにより、表示セル１の外周側への光の漏れを抑制しながら、表示面１ａとは反対側の面１ｂに光を照射することができる。
【００６１】
また、第２実施形態では、上記のように、反射部８が、反射シート１６の外周縁近傍が表示セル１側に折り曲げられることにより形成されるように、液晶表示装置３００を構成する。これにより、元々備えられている反射シート１６を用いて反射部８を形成することができるので、部品点数の増加を抑制することができる。
【００６２】
なお、第２実施形態のその他の効果は、上記第１実施形態と同様である。
【００６３】
［第３実施形態］
次に、図９を参照して、第３実施形態による液晶表示装置５００および光源装置６００の構成について説明する。この第３実施形態における液晶表示装置５００では、走査型レーザ光源ユニット５から出射された光が直接表示セル１を照射する第１実施形態とは異なり、走査型レーザ光源ユニット２５から出射された光は、導光板９を介して表示セル１に照射されている。なお、図９は概略図であって、簡略化のため、説明に不要な部材は図示を省略している。
【００６４】
（液晶表示装置の構成）
図９に示すように、液晶表示装置５００（光源装置６００）は、単一の走査型レーザ光源ユニット２５を備える。走査型レーザ光源ユニット２５は、表示セル１に対して垂直な方向（Ｙ方向）から見て、略長方形形状の表示セル１の長辺１ｃの近傍で、かつ、外側に設けられている。また、表示セル１に対して垂直な方向（Ｙ方向）から見て、走査型レーザ光源ユニット２５は、長辺１ｃの略中央に配置されている。なお、走査型レーザ光源ユニット２５は、上記第１実施形態の走査型レーザ光源ユニット５と同様の構成である。なお、走査型レーザ光源ユニット２５は、特許請求の範囲の「走査型光源部」の一例である。
【００６５】
ここで、第３実施形態は、液晶表示装置５００は、表示セル１とＬＥＤ光源４との間に設けられる導光板９を備える。導光板９は、レーザ光源５ａから出射された光を表示セル１側に向ける。具体的には、導光板９は、表示セル１と対向するように設けられている。また、走査型レーザ光源ユニット２５は、導光板９のＺ１方向側に設けられている。なお、Ｙ方向において、導光板９と走査型レーザ光源ユニット２５とは略同じ高さ位置に配置されている。詳細には、走査型レーザ光源ユニット２５から出射された光は、Ｚ１方向側から導光板９に入り、導光板９を通った後に表示セル１の所定の領域に照射される。なお、導光板９は、特許請求の範囲の「導光部材」の一例である。
【００６６】
第３実施形態のその他の構成は、上記第１実施形態と同様である。
【００６７】
（第３実施形態の効果）
第３実施形態では、以下のような効果を得ることができる。
【００６８】
第３実施形態では、上記のように、表示セル１とＬＥＤ光源４との間に設けられ、レーザ光源５ａから出射された光を表示セル１側に向ける導光板９を備えるように、液晶表示装置５００を構成する。これにより、導光板９により、レーザ光源５ａから出射された光を、レーザ光源５ａから比較的離間した領域に容易に照射することができる。
【００６９】
なお、第３実施形態のその他の効果は、上記第１実施形態と同様である。
【００７０】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７１】
たとえば、上記第１実施形態では、２つの走査型光源部（走査型レーザ光源ユニット５）がそれぞれ、一対の長辺（長辺１ｃおよび長辺１ｄ）の近傍に配置されている例を示したが、本発明はこれに限られない。たとえば、図１０に示すように、液晶表示装置１０１（光源装置２０１）では、２つの走査型光源部（走査型レーザ光源ユニット５）がそれぞれ、短辺１ｅおよび短辺１ｆの近傍に配置されている。なお、上記第２実施形態においても、同様に、２つの走査型光源部（走査型レーザ光源ユニット１５）がそれぞれ、短辺１ｅおよび短辺１ｆの近傍に配置されていてもよい。なお、上記第３実施形態においては、同様に、走査型光源部（走査型レーザ光源ユニット２５）が、一対の長辺のうちの他方（長辺１ｄ）、短辺１ｅ、または、短辺１ｆの近傍に配置されていてもよい。なお、図１０は概略図であって、簡略化のため、説明に不要な部材は図示を省略している。
【００７２】
また、上記第１実施形態では、２つの走査型光源部（走査型レーザ光源ユニット５）がそれぞれ、一対の長辺の略中央（長辺１ｃの略中央および長辺１ｄの略中央）に配置されている例を示したが、本発明はこれに限られない。たとえば、図１１に示すように、液晶表示装置１０２（光源装置２０２）では、２つの走査型光源部（走査型レーザ光源ユニット５）がそれぞれ、一対の長辺の端部（長辺１ｃの端部および長辺１ｄの端部）に配置されている。なお、上記第２実施形態においても、同様に、２つの走査型光源部（走査型レーザ光源ユニット１５）がそれぞれ、一対の長辺の端部（長辺１ｃの端部および長辺１ｄの端部）の近傍に配置されていてもよい。なお、上記第３実施形態においては、同様に、走査型レーザ光源ユニット２５が、一対の長辺のうちの他方（長辺１ｄ）の端部、短辺１ｅの端部、または、短辺１ｆの端部に配置されていてもよい。なお、図１１は概略図であって、簡略化のため、説明に不要な部材は図示を省略している。
【００７３】
また、上記第１実施形態では、２つの走査型光源部（走査型レーザ光源ユニット５）がそれぞれ、一対の長辺の近傍（長辺１ｃの近傍および長辺１ｄの近傍）に配置されている例を示したが、本発明はこれに限られない。たとえば、図１２に示すように、液晶表示装置１０３（光源装置２０３）では、４つの走査型光源部（走査型レーザ光源ユニット５）のうちの一方の２つが、一対の長辺のうちの一方（長辺１ｃ）の近傍に配置され、４つの走査型光源部（走査型レーザ光源ユニット５）のうちの他方の２つが、一対の長辺のうちの他方（長辺１ｄ）の近傍に配置されている。この場合、対向して設けられる２つの走査型光源部（走査型レーザ光源ユニット５）が共通の基台７にそれぞれ配置されている。また、Ｘ１方向側の２つの走査型光源部（走査型レーザ光源ユニット５）により、表示部（表示セル１）のＸ１方向側の半面が走査され、Ｘ２方向側の２つの走査型光源部（走査型レーザ光源ユニット５）により、表示部（表示セル１）のＸ２方向側の半面が走査される。なお、長辺１ｃの近傍の２つの走査型光源部（走査型レーザ光源ユニット５）、および、長辺１ｄの近傍の２つの走査型光源部（走査型レーザ光源ユニット５）が共通の基台７にそれぞれ配置されていてもよいし、４つの走査型光源部（走査型レーザ光源ユニット５）が共通の基台７に配置されていてもよい。なお、図１２は概略図であって、簡略化のため、説明に不要な部材は図示を省略している。
【００７４】
なお、上記第２実施形態においても、同様に、４つの走査型光源部（走査型レーザ光源ユニット１５）のうちの一方の２つが、一対の長辺のうちの一方（長辺１ｃ）の近傍に配置され、４つの走査型光源部（走査型レーザ光源ユニット１５）のうちの他方の２つが、一対の長辺のうちの他方（長辺１ｄ）の近傍に配置されていてもよい。なお、上記第３実施形態においても、２つの走査型光源部（走査型レーザ光源ユニット２５）が、一対の長辺のうちの他方（長辺１ｄ）、短辺１ｅ、または、短辺１ｆの近傍に配置されていてもよい。
【００７５】
また、上記第３実施形態では、単一の導光部材（導光板９）が設けられている例を示したが、本発明はこれに限られない。たとえば、図１３に示すように、液晶表示装置５０１（光源装置６０１）では、３つに分割されている導光部材（導光板１９）が設けられている。この場合、導光部材（導光板１９）の各々のＺ１方向側に、走査型光源部（走査型レーザ光源ユニット２５）が設けられる。なお、３つに分割されている導光部材（導光板１９）に対して、単一の走査型光源部（走査型レーザ光源ユニット２５）のみが設けられる構成であってもよい。なお、図１３は概略図であって、簡略化のため、説明に不要な部材は図示を省略している。なお、導光板１９は、特許請求の範囲の「導光部材」の一例である。
【００７６】
また、上記第２実施形態では、反射部８が、反射シート１６の外周縁近傍が表示部（表示セル１）側に折り曲げられることにより形成されている例を示したが、本発明はこれに限られない。たとえば、反射ミラーなどの別部材を設けることにより、走査型光源部（走査型レーザ光源ユニット１５）から出射される光を反射させてもよい。
【００７７】
また、上記第２実施形態では、表示部（表示セル１）に対して垂直な方向（Ｙ方向）から見て、２つの反射部８が、それぞれ、略長方形形状の表示部（表示セル１）の対向する一対の短辺１ｅおよび短辺１ｆに沿うように設けられている例を示したが、本発明はこれに限られない。たとえば、表示部（表示セル１）に対して垂直な方向（Ｙ方向）から見て、表示部（表示セル１）の４辺全てに沿うように反射部８が設けられていてもよい。
【００７８】
また、上記第１〜第３実施形態では、１つの第２光源（レーザ光源５ａ）と、１つの走査部（走査ミラー部５ｂ）とが一対に構成されている例を示したが、本発明はこれに限られない。たとえば、１つの走査型光源部（走査型レーザ光源ユニット５（１５、２５））において、第２光源（レーザ光源５ａ）または走査部（走査ミラー部５ｂ）のうちの少なくとも一方が複数設けられていてもよい。
【００７９】
また、上記第１〜第３実施形態では、走査部（走査ミラー部５ｂ）が、対となる第２光源（レーザ光源５ａ）に対して、表示部（表示セル１）側に配置されている例を示したが、本発明はこれに限られない。たとえば、第２光源（レーザ光源５ａ）が、対となる走査部（走査ミラー部５ｂ）に対して、表示部（表示セル１）側に配置されていてもよい。
【００８０】
また、上記第１〜第３実施形態では、表示部（表示セル１）に対して垂直な方向（Ｙ方向）から見て、走査型光源部（走査型レーザ光源ユニット５（１５、２５））が表示部（表示セル１）の外側に配置されている例を示したが、本発明はこれに限られない。たとえば、表示部（表示セル１）に対して垂直な方向（Ｙ方向）から見て、走査型光源部（走査型レーザ光源ユニット５（１５、２５））が表示部（表示セル１）に重なるように配置されていてもよい。
【００８１】
また、上記第１〜第３実施形態では、第２光源は、レーザ光源である例を示したが、本発明はこれに限られない。たとえば、第２光源が、ＬＥＤ光源であってもよい。
【００８２】
また、上記第１〜第３実施形態では、第１光源（ＬＥＤ光源４）が、マトリクス状に配置されている例を示したが、本発明はこれに限られない。たとえば、第１光源（ＬＥＤ光源４）は、線状に配置されていてもよい。
【００８３】
また、上記第１および第２実施形態では、２つの走査型光源部（走査型レーザ光源ユニット５（１５））が、Ｙ方向において、略同じ高さ位置に設けられている例を示したが、本発明はこれに限られない。たとえば、２つの走査型光源部（走査型レーザ光源ユニット５（１５））が、Ｙ方向において、互いに異なる高さ位置に設けられていてもよい。
【００８４】
また、上記第２実施形態では、反射部８が設けられる構成の例を示したが、本発明はこれに限られない。たとえば、反射部８と上記第３実施形態の導光部材（導光板９（１９））とを組み合わせた構成であってもよい。
【符号の説明】
【００８５】
１  表示セル（表示部）
１ａ  表示面
１ｂ  面
４  ＬＥＤ光源（第１光源）
５、１５、２５  走査型レーザ光源ユニット（走査型光源部）
５ａ  レーザ光源（第２光源）
５ｂ  走査ミラー部（走査部）
６、１６  反射シート
７  基台
８  反射部
９、１９  導光板（導光部材）
１００、１０１、１０２、１０３、３００、５００、５０１  液晶表示装置
２００、２０１、２０２、２０３、４００、６００、６０１  光源装置
【図１】
2018194786.tif 000003
【図２】
2018194786.tif 000004
【図３】
2018194786.tif 000005
【図４】
2018194786.tif 000006
【図５】
2018194786.tif 000007
【図６】
2018194786.tif 000008
【図７】
2018194786.tif 000009
【図８】
2018194786.tif 000010
【図９】
2018194786.tif 000011
【図１０】
2018194786.tif 000012
【図１１】
2018194786.tif 000013
【図１２】
2018194786.tif 000014
【図１３】
2018194786.tif 000015